【手続補正書】
【提出日】平成28年8月4日(2016.8.4)
【手続補正１】
【補正対象書類名】特許請求の範囲
【補正対象項目名】全文
【補正方法】変更
【補正の内容】
【特許請求の範囲】
【請求項１】
リブあるいは複数のブロックを有する陸部をトレッド面に備える空気入りタイヤにおいて、
前記陸部が、複数の凹部を接地面に備え、且つ、
前記陸部における連続した接地面のタイヤ幅方向の中央部５０［％］の領域を中央部領域として定義し、タイヤ幅方向の左右の端部２５［％］の領域を端部領域として定義するときに、
１つの前記連続した接地面の前記タイヤ幅方向の端部領域における前記凹部の開口面積率Ｓｅと、前記タイヤ幅方向の中央部領域における前記凹部の開口面積率Ｓｃとが、Ｓｃ＜Ｓｅの関係を有することを特徴とする空気入りタイヤ。 
【請求項２】
前記タイヤ幅方向の端部領域における前記凹部の開口面積率Ｓｅと、前記タイヤ幅方向の中央部領域における前記凹部の開口面積率Ｓｃとが、１．５０≦Ｓｅ／Ｓｃの関係を有する請求項１に記載の空気入りタイヤ。 
【請求項３】
前記タイヤ幅方向の端部領域における前記凹部の配置数Ｎｅと、前記タイヤ幅方向の中央部領域における前記凹部の配置数Ｎｃとが、Ｎｃ＜Ｎｅの関係を有する請求項１または２に記載の空気入りタイヤ。 
【請求項４】
前記タイヤ幅方向の端部領域における前記凹部の配置数Ｎｅと、前記タイヤ幅方向の中央部領域における前記凹部の配置数Ｎｃとが、１．５０≦Ｎｅ／Ｎｃの関係を有する請求項３に記載の空気入りタイヤ。 
【請求項５】
１つの前記連続した接地面の全域における前記凹部の配置密度Ｄａが、０．８［個／ｃｍ＾２］≦Ｄａ≦４．０［個／ｃｍ＾２］の範囲にある請求項１〜４のいずれか一つに記載の空気入りタイヤ。 
【請求項６】
前記陸部が、複数のサイプを接地面に備え、且つ、前記凹部が、前記サイプから離間して配置される請求項１〜５のいずれか一つに記載の空気入りタイヤ。 
【請求項７】
複数のサイプが、タイヤ周方向に並列に配置されて前記陸部を複数の区間に区画し、且つ、前記タイヤ幅方向の中央部領域にのみ前記凹部を有する前記区間と、前記タイヤ幅方向の端部領域にのみ前記凹部を有する前記区間とが、タイヤ周方向に交互に配置される請求項１〜６のいずれかに記載の空気入りタイヤ。 
【請求項８】
複数のサイプが、タイヤ周方向に並列に配置されて前記陸部を複数の区間に区画し、且つ、隣り合う任意の一対の前記区間の少なくとも一方が、前記タイヤ幅方向の端部領域に前記凹部を有する請求項１〜７のいずれかに記載の空気入りタイヤ。 
【請求項９】
複数のサイプが、タイヤ周方向に並列に配置されて前記陸部を複数の区間に区画し、且つ、タイヤ周方向に隣り合う任意の３つの前記区間が、前記タイヤ幅方向の端部領域に前記凹部を有する前記区間と、前記タイヤ幅方向の中央部領域に前記凹部を有する前記区間とをそれぞれ含む請求項１〜８のいずれかに記載の空気入りタイヤ。 
【請求項１０】
複数のサイプが、タイヤ周方向に並列に配置されて前記陸部を複数の区間に区画し、且つ、タイヤ周方向に隣り合う任意の３つの前記区間が、前記凹部を有する前記区間と、前記凹部を有さない前記区間とをそれぞれ含む請求項１〜９のいずれかに記載の空気入りタイヤ。 
【請求項１１】
前記陸部が、複数のブロックを有するブロック列であり、前記ブロックの角部に前記凹部を有する請求項１〜１０のいずれか一つに記載の空気入りタイヤ。 
【請求項１２】
前記陸部が、複数のブロックを有するブロック列であり、前記ブロックのタイヤ周方向の端部かつ前記タイヤ幅方向の中央部領域には前記凹部を有さない請求項１〜１１のいずれか一つに記載の空気入りタイヤ。 
【請求項１３】
前記凹部の開口面積が、２．５［ｍｍ＾２］以上１０［ｍｍ＾２］以下の範囲にある請求項１〜１２のいずれか一つに記載の空気入りタイヤ。 
【請求項１４】
前記凹部が、前記陸部の接地面にて円形状あるいは楕円形状を有する請求項１〜１３のいずれか一つに記載の空気入りタイヤ。 
【請求項１５】
前記凹部の壁角度αが、−８５［deg］≦α≦９５［deg］の範囲にある請求項１〜１４のいずれか一つに記載の空気入りタイヤ。 
【請求項１６】
前記陸部が、複数の細浅溝を接地面に備え、且つ、
前記凹部の深さＨｄと、前記細浅溝の溝深さＨｇとが、０．５≦Ｈｄ／Ｈｇ≦１．５の関係を有する請求項１〜１５のいずれか一つに記載の空気入りタイヤ。 
【請求項１７】
少なくとも一部の前記凹部が、タイヤ成形金型のベント穴に対応する位置に配置される請求項１〜１６のいずれか一つに記載の空気入りタイヤ。 
【請求項１８】
前記タイヤ幅方向の端部領域における前記凹部の開口面積の平均値Ａｅと、前記タイヤ幅方向の中央部領域における前記凹部の開口面積の平均値Ａｃとが、Ａｃ＜Ａｅの関係を有する請求項１または２に記載の空気入りタイヤ。 
【請求項１９】
前記タイヤ幅方向の端部領域における前記凹部の開口面積の平均値Ａｅと、前記タイヤ幅方向の中央部領域における前記凹部の開口面積の平均値Ａｃとが、１．５≦Ａｅ／Ａｃ≦４．０の関係を有する請求項１８に記載の空気入りタイヤ。 
【請求項２０】
前記陸部が、相互に異なる開口面積をもつ複数種類の前記凹部を備え、且つ、前記タイヤ幅方向の端部領域に配置された７０［％］以上の前記凹部が、前記連続した接地面に配置された前記凹部の開口面積の平均値よりも大きな開口面積を有する請求項１８または１９に記載の空気入りタイヤ。 
【請求項２１】
前記陸部が、相互に異なる開口面積をもつ複数種類の前記凹部を備え、且つ、前記連続した接地面に配置された前記凹部の開口面積の平均値よりも大きな開口面積をもつ前記凹部が、前記連続した接地面にてタイヤ幅方向の最も外側に配置される請求項１８〜２０のいずれか一つに記載の空気入りタイヤ。 
【請求項２２】
前記陸部が、タイヤ周方向に並列に配置されて前記陸部の連続した接地面を複数の区間に区画する複数のサイプと、相互に異なる開口面積をもつ複数種類の前記凹部とを備え、且つ、
前記連続した接地面に配置された前記凹部の開口面積の平均値よりも大きな開口面積をもつ前記凹部が、タイヤ周方向に隣り合う任意の３つの前記区間の少なくとも１つに配置される請求項１８〜２１のいずれか一つに記載の空気入りタイヤ。 
【請求項２３】
前記陸部が、複数のブロックを有するブロック列であると共に、相互に異なる開口面積をもつ複数種類の前記凹部を備え、且つ、
前記連続した接地面に配置された前記凹部の開口面積の平均値よりも大きな開口面積をもつ前記凹部が、前記ブロックの角部に配置される請求項１８〜２２のいずれか一つに記載の空気入りタイヤ。 
【請求項２４】
複数のブロックを有する陸部をトレッド面に備える空気入りタイヤにおいて、
前記陸部が、複数の凹部を接地面に備え、且つ、
連続した接地面のタイヤ周方向の中央部５０［％］の領域を中央部領域として定義し、タイヤ周方向の前後の端部２５［％］の領域を端部領域として定義するときに、
１つの前記連続した接地面の前記タイヤ周方向の端部領域における前記凹部の開口面積率Ｓｅ’と、前記タイヤ周方向の中央部領域における前記凹部の開口面積率Ｓｃ’とが、Ｓｃ’＜Ｓｅ’の関係を有することを特徴とする空気入りタイヤ。 
【請求項２５】
前記タイヤ周方向の端部領域における前記凹部の配置数Ｎｅ’と、前記タイヤ周方向の中央部領域における前記凹部の配置数Ｎｃ’とが、Ｎｃ’＜Ｎｅ’の関係を有する請求項２４に記載の空気入りタイヤ。 
【請求項２６】
前記タイヤ周方向の端部領域における前記凹部の開口面積の平均値Ａｅ’と、前記タイヤ周方向の中央部領域における前記凹部の開口面積の平均値Ａｃ’とが、Ａｃ’＜Ａｅ’の関係を有する請求項２４または２５に記載の空気入りタイヤ。